(57)【要約】【課題】  自動評価ソフトで生成された結果ログからＮＧ項目を自動的に抽出して、その項目に対して自動的に再設定することを可能とする機器評価装置を実現する。【解決手段】  設定された評価項目のコマンドを自動評価ソフトから被評価機器に送信すると共に、前記コマンドの実行結果を取得して評価結果のログを保存する機器評価装置において、  前記ログより、評価結果の内ＮＧであった項目を抽出するＮＧ項目抽出手段と、  抽出された前記ＮＧの項目を前記自動評価ソフトに再設定するＮＧ項目再設定手段と、を備える。【選択図】                    図１
2009252144.tif 000002
【特許請求の範囲】
【請求項１】
設定された評価項目のコマンドを自動評価ソフトから被評価機器に送信すると共に、前記コマンドの実行結果を取得して評価結果のログを保存する機器評価装置において、
前記ログより、評価結果の内ＮＧであった項目を抽出するＮＧ項目抽出手段と、
抽出された前記ＮＧの項目を前記自動評価ソフトに再設定するＮＧ項目再設定手段と、
を備えることを特徴とする機器評価装置。
【請求項２】
前記ＮＧ項目抽出手段は、前記ログに保存されている前記評価項目のコマンドの実行時間より、ＮＧであった項目の測定時間情報を抽出することを特徴とする請求項１に記載の機器評価装置。
【請求項３】
前記評価項目を複数にグループ分けすると共に、前記ＮＧ項目抽出手段は、指定された特定グループの評価結果の内ＮＧであった項目を抽出することを特徴とする請求項１または２に記載の機器評価装置。
【請求項４】
前記評価項目を複数にグループ分けすると共に、前記ＮＧ項目抽出手段は、指定された複数グループの評価結果の内ＮＧであった項目を抽出することを特徴とする請求項１または２に記載の機器評価装置。
【請求項５】
前記評価結果のログの情報をサーバに送信し、このサーバを介して前記ログの情報を複数のユーザにサービスすることを特徴とする請求項１乃至４のいずれかに記載の機器評価装置。
【請求項６】
前記ユーザ側から設定される前記評価項目の設定情報を前記サーバに保存し、前記自動評価ソフトは、前記サーバより評価項目を読み出すことを特徴とする請求項５に記載の機器評価装置。
【発明の詳細な説明】
【技術分野】
【０００１】
本発明は、設定された評価項目のコマンドを自動評価ソフトから被評価機器に送信すると共に、前記コマンドの実行結果を取得して評価結果のログを保存する機器評価装置に関するものである。
【背景技術】
【０００２】
機器の機能の評価や仕様を満たしているかの確認を手動で実行する場合には、常に人が被評価機器の前にいなければならないので、評価するのに時間がかかり、また一度に評価を行える数が限られてしまい、複数台の装置を評価することが困難である。
【０００３】
更に、評価項目が膨大になると作業するのにも時間がかかり、作業する人や作業時間、評価する装置の割り当て等の管理が煩雑となり、人によって評価結果の可否判断が異なったりするという問題がある。
【０００４】
この問題に対処するために、リモートコマンドを用いて、機器の機能評価や仕様の確認を自動的に行い、その結果を保存するというアプリケーションプログラム（以下、自動評価ソフト）を使用することが一般的に実行されている。
【０００５】
図８は、従来の機器評価装置の構成例を示す機能ブロック図である。被評価機器１０に対して遠隔配置されたＰＣ２０に実装されている自動評価ソフト３０よりリモートコマンドを送信し、コマンドの実行結果を被評価機器１０より取得する。
【０００６】
自動評価ソフト３０は、取得した実行結果のログをハードディスク等の保存手段４０に書き込み保存する。評価項目は、自動評価ソフト３０に組み込まれた評価項目設定手段５０に対してユーザが選択して設定する。
【０００７】
図９は、従来の機器評価装置の他の構成例を示す機能ブロック図である。被評価機器１０内に自動評価ソフト３０及び保存手段４０が組み込まれている。自動評価ソフト３０は、機器内の測定部６０に対してコマンドを送信し、実行結果を取得して保存手段４０に実行結果のログを書き込み保存する。必要に応じて表示部７０にログを表示する。
【０００８】
遠隔配置されたＰＣ２０は、保存手段４０より保存されている実行結果のログを取得して表示または解析を実行する。評価項目設定手段５０は、被評価機器１０側でユーザが選択して設定する。
【０００９】
図１０は、従来の機器評価装置の信号処理手順を示すフローチャートである。自動評価ソフト３０は、ユーザが評価項目を選択したものに対して、測定を開始する。
一連の動作は下記のような流れとなる
【００１０】
ステップＳ１で、ユーザが測定項目を選択する。ステップＳ２で測定開始ボタンを押して、評価開始する。
【００１１】
ステップＳ３で自動評価ソフトはリモートコマンドを被評価機器に送信し、機器は実行結果を返す。自動評価ソフトはその結果を基に、各評価項目毎に正常終了（以下、ＯＫ）か異常終了（以下、ＮＧ）かを判断し、ステップＳ４で結果をログに保存する。
【００１２】
ステップＳ５で全項目の測定が終了したか否かがチェックされ、終了でなければステップＳ３に戻り次の項目の測定を実行し、終了であればステップＳ６でログを取得又は表示を実行してステップＳ１に戻る。
【００１３】
図１１（Ａ）は、従来の機器評価装置のユーザインターフェース画面であり、評価項目設定、測定開始ボタン、評価結果を表示している。図１１（Ｂ）は、結果ログの表示画面である。
【００１４】
【特許文献１】特開平５−１３３７７６号公報
【発明の開示】
【発明が解決しようとする課題】
【００１５】
従来の機器評価装置では、次のような問題がある。
（１）自動評価ソフトで生成された結果ログから、ＮＧ項目のみを再度測定したい場合、記録された結果ログを見て、どの項目がＮＧだったかを別のソフトウェア(例えば、テキストエディタの検索など)で抽出及び記録し、それを見てユーザが再度評価項目を設定しなければならず、人為的ミスが発生し易い。
【００１６】
（２）自動評価ソフトで記録された結果ログを、ＮＧのみ記録するようにしたとしても、評価項目が多いと、項目設定するのに時間がかかり、設定作業が煩雑である。
【００１７】
本発明は上述した問題点を解決するためになされたものであり、自動評価ソフトで生成された結果ログからＮＧ項目を自動的に抽出して、その項目に対して自動的に再設定することを可能とする機器評価装置の実現を目的としている。
【課題を解決するための手段】
【００１８】
このような課題を達成するために、本発明は次の通りの構成になっている。
（１）設定された評価項目のコマンドを自動評価ソフトから被評価機器に送信すると共に、前記コマンドの実行結果を取得して評価結果のログを保存する機器評価装置において、
前記ログより、評価結果の内ＮＧであった項目を抽出するＮＧ項目抽出手段と、
抽出された前記ＮＧの項目を前記自動評価ソフトに再設定するＮＧ項目再設定手段と、
を備えることを特徴とする機器評価装置。
（２）前記ＮＧ項目抽出手段は、前記ログに保存されている前記評価項目のコマンドの実行時間より、ＮＧであった項目の測定時間情報を抽出することを特徴とする（１）に記載の機器評価装置。
（３）前記評価項目を複数にグループ分けすると共に、前記ＮＧ項目抽出手段は、指定された特定グループの評価結果の内ＮＧであった項目を抽出することを特徴とする（１）または２に記載の機器評価装置。
（４）前記評価項目を複数にグループ分けすると共に、前記ＮＧ項目抽出手段は、指定された複数グループの評価結果の内ＮＧであった項目を抽出することを特徴とする（１）または（２）に記載の機器評価装置。
（５）前記評価結果のログの情報をサーバに送信し、このサーバを介して前記ログの情報を複数のユーザにサービスすることを特徴とする（１）乃至（４）のいずれかに記載の機器評価装置。
（６）前記ユーザ側から設定される前記評価項目の設定情報を前記サーバに保存し、前記自動評価ソフトは、前記サーバより評価項目を読み出すことを特徴とする（５）に記載の機器評価装置。
【発明の効果】
【００１９】
本発明の構成によれば、次のような効果を期待することができる。
（１）従来の自動評価ソフトに本発明を加えることで、別のソフトウェア等を使わずに結果ログから自動的にＮＧ項目を再設定することができ、設定漏れ等の人為的なミスを防ぐことができると共に、設定時間を短縮することができる。
【００２０】
（２）測定時間を取得し、それを保存しておくことで、ＮＧ項目の測定にかかる予測時間を知ることができる。
【００２１】
（３）グループ設定をすることが可能になり、機能(グループ)別でのＮＧ項目の評価が可能になる。
【００２２】
（４）評価結果のログの情報をサーバに送信し、このサーバを介してログの情報を複数のユーザにサービスすることができる。
【発明を実施するための最良の形態】
【００２３】
以下、本発明を図面により詳細に説明する。図１は、本発明を適用した機器評価装置の一実施形態を示す機能ブロック図である。図８で説明した従来装置と同一要素には同一符号を付して説明を省略する。
【００２４】
図８で説明した従来装置に追加される本発明の特徴部は、保存手段４０の結果ログの情報を取得してＮＧ項目を自動的に抽出するＮＧ項目抽出手段１００及び抽出されたＮＧ項目を自動評価ソフト３０に自動的に再設定するＮＧ項目再設定手段２００を設けた構成にある。
【００２５】
追加されたＮＧ項目抽出手段１００及びＮＧ項目再設定手段２００は、ユーザ設定される評価項目設定手段５０と共に、自動評価ソフト３０に組み込まれる。ＮＧ項目再設定手段２００は、自動設定と共にユーザによるカスタマイズ設定機能も備える。
【００２６】
図２は、本発明を適用した機器評価装置の信号処理手順を示すフローチャートである。図９で説明したフローチャートに追加されるステップは、ステップＳ７によるＮＧ項目の抽出及びステップＳ８によるＮＧ項目の再設定である。
【００２７】
図３は、本発明を適用した機器評価装置のユーザインターフェース画面である。図３（Ａ）は初期設定時の画面であり、この例ではTest1〜TestNまでの全項目がチェックされて選択されている。測定開始ボタンで評価が開始され、図３（Ｂ）の結果ログが保存される。
【００２８】
図３（Ｃ）は、結果ログからＮＧ項目抽出手段１００によりＮＧ項目のみが抽出されたファイルであり、このファイルを基にＮＧ項目再設定手段２００がＮＧだった評価項目のみを自動評価ソフト３０に自動で再設定する。図３（Ｄ）は、ＮＧ項目のみ再設定されたユーザインターフェース画面を示す。
【００２９】
図４（Ａ）は、本発明を適用した機器評価装置の他の実施形態におけるユーザインターフェース画面である。この実施形態では、評価項目毎の測定時間情報が図４（Ｂ）の結果ログに記録され、評価項目毎の測定時間ファイルが図４（Ｃ）のように抽出され、この時間情報が図４（Ａ）のユーザインターフェース画面に反映されている。
【００３０】
一度全項目に対して測定を行えば、各項目の測定時間を取得することができるので、次回から選択した項目（例えばＮＧ項目）の測定にかかる時間を算出し、表示することができる。
【００３１】
また、ユーザはいつ測定が終わるかどうかを事前に知ることができるので、その時間に結果を見ればよいので、測定の終了をいちいち確認しに来る必要はなく、作業の効率アップに貢献できる。
【００３２】
図５（Ａ）は、本発明を適用した機器評価装置の更に他の実施形態におけるユーザインターフェース画面である。予め評価項目を所定のジャンルでグループ分けして識別記号を与えることで、グループを指定した結果ログの情報を表示することができる。
【００３３】
図５（Ｂ）は、グループ分けにより生成された、グループ設定ファイルの形態を示している。グループ設定という概念を取り入れることで、機能(グループ)別の評価等を行うことが可能になる。また、これを応用することで、複数の機能の評価を同時に行うことができる。
【００３４】
図６（Ａ）は、本発明を適用した機器評価装置の更に他の実施形態におけるユーザインターフェース画面であり、図５のグループ分けの応用形態である。評価項目を機能別にグループ分けして図６（Ｂ）に示す機能別設定ファイルを生成し、複数の機能を（ファイルＡ及びファイルＢ）選択することで、選択した機能に対応する測定時間情報を収集して表示させることができる。
【００３５】
図７は、本発明を適用した機器評価装置の更に他の実施形態を示す機能ブロック図である。自動評価ソフト３０に測定終了後、結果ログをデータベース機能を持つサーバ３００等に自動的に転送して保存する機能を追加することで、サーバへの保存の手間も省くことができ、結果ログの管理が簡単になる。また、サーバに保存しておくことで、結果ログをユーザ４０１，４０２，…４０Ｎが閲覧することができる。
【００３６】
更に、別の場所でユーザが作成した評価項目の設定ファイルをサーバ３００に保存しておき、その設定ファイルをサーバ３００から自動評価ソフト３０が読み出して設定することも可能である。
【図面の簡単な説明】
【００３７】
【図１】本発明を適用した機器評価装置の一実施形態を示す機能ブロック図である。
【図２】本発明を適用した機器評価装置の信号処理手順を示すフローチャートである。
【図３】本発明を適用した機器評価装置のユーザインターフェース画面である。
【図４】本発明を適用した機器評価装置の他の実施形態におけるユーザインターフェース画面である。
【図５】本発明を適用した機器評価装置の更に他の実施形態におけるユーザインターフェース画面である。
【図６】本発明を適用した機器評価装置の更に他の実施形態におけるユーザインターフェース画面である。
【図７】本発明を適用した機器評価装置の更に他の実施形態を示す機能ブロック図である。
【図８】従来の機器評価装置の構成例を示す機能ブロック図である。
【図９】従来の機器評価装置の他の構成例を示す機能ブロック図である。
【図１０】従来の機器評価装置の信号処理手順を示すフローチャートである。
【図１１】従来の機器評価装置のユーザインターフェース画面である。
【符号の説明】
【００３８】
１０  被評価機器
２０  ＰＣ
３０  自動評価ソフト
４０  保存手段
５０  評価項目設定手段
１００  ＮＧ項目抽出手段
２００  ＮＧ項目再設定手段
【図１】
2009252144.tif 000003
【図２】
2009252144.tif 000004
【図３】
2009252144.tif 000005
【図４】
2009252144.tif 000006
【図５】
2009252144.tif 000007
【図６】
2009252144.tif 000008
【図７】
2009252144.tif 000009
【図８】
2009252144.tif 000010
【図９】
2009252144.tif 000011
【図１０】
2009252144.tif 000012
【図１１】
2009252144.tif 000013